(57)【要約】【課題】  内枠側から前枠側に遊技球を流下させ得る球払出通路を備えた遊技機において、前枠の開閉時に遊技球の零れ落ちがより生じにくい構成を提供することを課題とする。【解決手段】球払出装置１４から球受皿９に遊技球を誘導する球払出通路１５において、内枠３側の上流側通路２０の出口部２１が下方に開口し、前枠４（球皿枠７）側の下流側通路３０の入口部３１は上方に開口している。そして、内枠３には、上流側通路２０の出口部２１に対して遊技球の流下を規制する規制部材４１が設けられており、前枠４には、前枠４の開閉動作の際に、規制部材４１の規制位置による出口部２１に対する位置関係よりも上流側通路２０の出口部２１に近い位置で該出口部２１を一時的に閉鎖する遮断部３３が設けられている。【選択図】  図１２
2011156250.tif 000002
【特許請求の範囲】
【請求項１】
遊技盤を保持する内枠と、
前記遊技盤の前面側において前記内枠に対し開閉可能に設けられた前枠と、
前記内枠側に設けられた球払出装置と、
前記前枠側に設けられた球受皿と、
前記内枠側に設けられた上流側通路と、前記前枠側に設けられた下流側通路とを含み、前記球払出装置から払い出された遊技球を前記球受皿に誘導する球払出通路と、を備え、
前記上流側通路の出口部が下方に開口するとともに、前記下流側通路の入口部が上方に開口し、前記前枠の閉塞時に前記下流側通路の入口部が前記上流側通路の出口部に隣接して配置されて前記球払出通路が連続し、前記前枠の開放時には前記下流側通路の入口部が前記上流側通路の出口部から離間して前記球払出通路が分断される遊技機であって、
前記内枠には、前記上流側通路の出口部の下方に進入し該出口部を閉鎖して遊技球の流下を堰き止める規制位置と、該出口部の下方から退避し前記出口部を開放して遊技球の流下を許容する退避位置との間を変位する規制部材と、
前記規制部材を前記規制位置に向けて付勢する付勢手段と、が設けられ、
前記前枠には、該前枠の閉塞時に前記規制部材を前記付勢手段の付勢力に抗して前記退避位置に設定する押圧部と、
前記前枠の開閉動作の際に、前記規制部材の規制位置による前記出口部に対する位置関係よりも前記上流側通路の出口部に近い位置で該出口部を一時的に閉鎖する遮断部と、が設けられ、
前記前枠が閉塞されるときには、前記押圧部が前記規制部材に作用する前に前記遮断部が先行して前記出口部を閉鎖し、前記規制部材によって堰き止められている遊技球を該規制部材に代わって堰き止めた後、前記下流側通路の入口部が出口部に隣接配置されるとともに、前記押圧部により前記規制部材が退避位置に変位し、かつ前記遮断部が該出口部を開放することで前記球払出通路が連続して遊技球を球受皿に誘導可能とし、
前記前枠が開放されるときには、前記下流側通路の入口部が出口部から離間するとともに前記遮断部が前記出口部を閉鎖して遊技球を堰き止めた後、前記規制部材が前記付勢手段により前記規制位置に移行した状態で、前記遮断部が該出口部を開放することで前記遮断部によって堰き止められている遊技球を該遮断部に代わって前記規制部材が堰き止めて前記球払出通路が分断されることを特徴とする遊技機。
【請求項２】
前記遮断部は、板状形態をなし、前記規制部材が規制位置において前記上流側通路の出口部で遊技球を堰き止める球止面から遊技球の半径の高さ位置よりも低い位置で前記出口部を閉鎖する請求項１に記載の遊技機。
【請求項３】
前記遮断部は、前記下流側通路の入口部の後方側に隣接して形成されており、
前記押圧部は、前記下流側通路の一部で構成されている請求項１又は２に記載の遊技機。
【請求項４】
前記遮断部は、板状態形態をなし、前記下流側通路の入口部の開口縁と同一平面上で後方に延出形成されるとともに、その後方側に形成される先端部が前枠の開閉中心側から開放側ほど前記入口部から後方に遠ざかるように形成されている請求項１ないし３のいずれか１項に記載の遊技機。
【請求項５】
前記遮断部は、前記入口部の開口縁から前枠の開閉中心側に突出する食み出し部を含み形成されており、該食み出し部を含み前記先端部が前枠の開閉中心側から開放側ほど前記入口部から後方に遠ざかるように形成されている請求項４に記載の遊技機。
【発明の詳細な説明】
【技術分野】
【０００１】
本発明は、遊技機に関する。
【背景技術】
【０００２】
パチンコ機などの遊技機には、矩形状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、遊技球を一時的に貯留し、該貯留した遊技球を内枠に設けられる球発射装置の発射位置へ誘導する。そして、前枠には球発射ハンドルが設けられ、該球発射ハンドルの操作により球発射装置を作動させる。
【０００３】
また、内枠の背面側には図柄表示装置の画像処理基板や、パチンコ機の動作を制御する主制御基板などを含む制御ユニットが組み付けられている。また、遊技場の遊技機島から供給された遊技球を貯留する補給タンク、補給タンクの遊技球を下流側へ誘導するタンクレール、タンクレールから球圧を分散させながら流下させる球通路、球通路より供給された遊技球を、所定の条件に基づいて賞球・貸球として遊技球を払い出す球払出装置が設けられている。球払出装置から球払出通路を経て払出口より払い出された遊技球は前枠に設けられた球受皿に一時的に貯留される。
【０００４】
遊技者が遊技中に、スタッフが球詰りの解消やパチンコ機の点検をするために前枠を開放する場合がある。このとき、球受皿が遊技球で満杯で球払出通路まで遊技球で満たされていたり、入賞により賞球の払出し動作が行われていたりすると、球払出通路を流下、或いは停留している遊技球が床などに零れ落ちる可能性がある。ここで、球払出装置から払い出された遊技球は遊技者の球となるため、球零れなどが許されない。
【先行技術文献】
【特許文献】
【０００５】
【特許文献１】特開２００８−０３５９１１号公報
【発明の概要】
【発明が解決しようとする課題】
【０００６】
特許文献１に記載の遊技機では、第２通路部（上流側通路）の下方に開口した出口部に対してシャッター部材（規制部材）が出没するように設けられている。シャッター部材（規制部材）は、第１通路部（下流側通路）の押出し部に当接する当接部と、第２通路部（上流側通路）の出口部を塞ぐ阻止部とを有しており、遊技機前面体（前枠）が開放される場合に、阻止部が第１通路部（下流側通路）の入口部と前後に並んだ状態で遊技球の通過を阻止する阻止位置に移動するように構成されている。すなわち、第２通路部（上流側通路）の出口部に対して第１通路部（下流側通路）の入口部が離れるのに合わせて第２通路部（上流側通路）の遊技球の通過を阻止して球零れを防止することができるものである。
【０００７】
しかしながら、シャッター部材（規制部材）は、出口部に対して阻止部を前後方向に移動して出没させるものであり、第１通路部（下流側通路）は遊技機前面体（前枠）の開閉動作に基づいて移動するので、阻止部が阻止位置に移動する際に阻止部と入口部とが前後に並んだ状態であったとしても、当接部と押出し部とが遊技機前面体の軸側から開放側全体で当接した状態とはならず、両者の間に隙間が生じてしまい、遊技球の位置や球圧が加わることによって遊技球がその隙間に入り込んで球零れしたり、その隙間によってシャッター部材と出口部との間で球噛みが発生し、シャッター部材が完全に阻止位置に移動できず後続の遊技球が零れ落ちたりする虞がある。
【０００８】
本発明は、上述した課題を解決するためになされたものであり、内枠側から前枠側に遊技球を流下させ得る球払出通路を備えた遊技機において、前枠の開閉時に遊技球の零れ落ちがより生じにくい構成を提供することにある。
【課題を解決するための手段】
【０００９】
上記課題を解決するために、本発明の遊技機は、
遊技盤を保持する内枠と、
遊技盤の前面側において内枠に対し開閉可能に設けられた前枠と、
内枠側に設けられた球払出装置と、
前枠側に設けられた球受皿と、
内枠側に設けられた上流側通路と、前枠側に設けられた下流側通路とを含み、球払出装置から払い出された遊技球を球受皿に誘導する球払出通路と、を備え、
上流側通路の出口部が下方に開口するとともに、下流側通路の入口部が上方に開口し、前枠の閉塞時に下流側通路の入口部が上流側通路の出口部に隣接して配置されて球払出通路が連続し、前枠の開放時には下流側通路の入口部が上流側通路の出口部から離間して球払出通路が分断される遊技機であって、
内枠には、上流側通路の出口部の下方に進入し該出口部を閉鎖して遊技球の流下を堰き止める規制位置と、該出口部の下方から退避し出口部を開放して遊技球の流下を許容する退避位置との間を変位する規制部材と、
規制部材を規制位置に向けて付勢する付勢手段と、が設けられ、
前枠には、該前枠の閉塞時に規制部材を付勢手段の付勢力に抗して退避位置に設定する押圧部と、
前枠の開閉動作の際に、規制部材の規制位置による出口部に対する位置関係よりも上流側通路の出口部に近い位置で該出口部を一時的に閉鎖する遮断部と、が設けられ、
前枠が閉塞されるときには、押圧部が規制部材に作用する前に遮断部が先行して出口部を閉鎖し、規制部材によって堰き止められている遊技球を該規制部材に代わって堰き止めた後、下流側通路の入口部が出口部に隣接配置されるとともに、押圧部により規制部材が退避位置に変位し、かつ遮断部が該出口部を開放することで球払出通路が連続して遊技球を球受皿に誘導可能とし、
前枠が開放されるときには、下流側通路の入口部が出口部から離間するとともに遮断部が出口部を閉鎖して遊技球を堰き止めた後、規制部材が付勢手段により規制位置に移行した状態で、遮断部が該出口部を開放することで遮断部によって堰き止められている遊技球を該遮断部に代わって規制部材が堰き止めて球払出通路が分断されることを特徴とする。
【発明の効果】
【００１０】
上記本発明の遊技機によれば、球払出装置から球受皿に遊技球を誘導する球払出通路において、内枠側の上流側通路の出口部が下方に開口し、前枠側の下流側通路の入口部は上方に開口している。そして、内枠には、上流側通路の出口部に対して遊技球の流下を規制する規制部材が設けられており、前枠には、前枠の開閉動作の際に、規制部材の規制位置による出口部に対する位置関係よりも上流側通路の出口部に近い位置で該出口部を一時的に閉鎖する遮断部が設けられている。そして、前枠が閉塞されるときには、規制部材が規制位置から退避位置に変位する間は遮断部が上流側通路の出口部を閉鎖する一方、前枠が開放されるときには、規制部材が退避位置から規制位置に変位する間は遮断部が上流側通路の出口部を閉鎖する。これによれば、前枠の開閉動作に伴い、押圧部及び付勢手段によって規制部材が規制位置と退避位置との間を移動する途中位置では、上流側通路の出口部において遮断部が遊技球を一時的に堰き止めるので、特許文献１記載の遊技機のように規制部材（シャッター部材）と押圧部との間で一部隙間を生じていたとしても、その隙間に遊技球が入り込むことがなくなり、前枠開閉時に遊技球の零れ落ちがより生じにくい構成とすることができる。
【００１１】
また、遮断部は、板状形態をなし、規制部材が規制位置において上流側通路の出口部で遊技球を堰き止める球止面から遊技球の半径の高さ位置よりも低い位置で出口部を閉鎖することが望ましい。これによれば、前枠が閉塞されるときに、規制部材の球止面によって堰き止められている先頭の遊技球の下側に板状形態をなす遮断部を効率よく滑り込ませることができる。ひいては、遮断部によって上流側通路の出口部における遊技球の流下をより一層確実に球零れなく堰き止めることが可能となる。
【００１２】
また、遮断部は、下流側通路の入口部の後方側に隣接して形成されており、
押圧部は、下流側通路の一部で構成することが望ましい。また、遮断部は下流側通路の一部で構成することが望ましい。これによれば、遮断部と下流側通路の入口部とが前後方向で隣接して形成されているので、前枠が閉塞されるときに、遮断部によって一時的に閉鎖された出口部に対して、スムーズに入口部を配置することができる。また、前枠が開放されるときには、入口部が離間していく出口部に対して、即座に遮断部を配置することができる。そして、押圧部を下流側通路の一部として構成することで、前枠の開閉動作に応じて下流側通路の入口部と規制部材に作用する押圧部との動作にタイムラグがなくなり、ひいては入口部と規制部材４１との動作にタイムラグをなくして、より確実に出口部からの球零れを抑制及び防止することができる。また、簡単な構造となりコンパクトに形成することができ、部品点数を低減することができる。さらには、遮断部を下流側通路の一部として構成することで、より一層上記効果を奏するとともに、出口部に対する入口部、規制部材、押圧部及び遮断部を簡単でより確実に動作させることができる。
【００１３】
また、遮断部は、板状態形態をなし、下流側通路の入口部の開口縁と同一平面上で後方に延出形成されるとともに、その後方側に形成される先端部が前枠の開閉中心側から開放側ほど入口部から後方に遠ざかるように形成されていることが望ましい。前枠の閉塞に伴い遮断部が出口部を閉鎖するときには、前枠の開閉中心側から開放側にかけて全体をより同時に遮断することが望ましく、上記構成とすることでそれが可能となり、球零れを抑制及び防止することができる。また、前枠の開放に伴い遮断部が出口部を開放するときには、前枠の開閉中心側から開放側にかけて全体をより同時に開放することができ、球零れを抑制及び防止することができる。
【００１４】
また、遮断部は、入口部の開口縁から前枠の開閉中心側に突出する食み出し部を含み形成されており、該食み出し部を含み先端部が前枠の開閉中心側から開放側ほど入口部から後方に遠ざかるように形成されていることが望ましい。これによれば、遮断部として入口部の開閉中心側に突出する食み出し部が形成されているので、出口部における前枠の開閉中心側からの球零れを効果的に抑制及び防止することができる。
【００１５】
また、遮断部が押圧部として兼用され、
規制部材には、出口部の下方を通過途中、又は通過後に当接される当接部を形成することができる。これによれば、遮断部が押圧部を兼用するので、部品点数の低減及びコンパクト化だけでなく、規制部材や下流側通路の構造設計の自由度を広げることができる。
【図面の簡単な説明】
【００１６】
【図１】本発明の実施形態に係る遊技機の一例を示す正面図である。
【図２】図１の遊技機の背面図である。
【図３】図１の遊技機の球皿枠（前枠）を開放した状態において概略的に球払出通路の状態を示す斜視図である。
【図４】図３における球払出通路で破断させた斜視図である。
【図５】図３における球払出通路の断面図である。
【図６】図１の遊技機の球皿枠（前枠）を閉塞した状態において概略的に球払出通路の状態を示す斜視図である。
【図７】図６において球払出通路で破断させた斜視図である。
【図８】図６における球払出通路の断面図である。
【図９】内枠，上流側通路及び規制部材についての分解斜視図である。
【図１０】規制部材を示す上前から見た斜視図，側面図及び下後から見た斜視図である。
【図１１】下流側通路を示す平面図，側面図，上から見た斜視図及び下から見た斜視図である。
【図１２】球皿枠（前枠）の開閉時における、押圧部が当接部に当接した状態を示す横から見た断面図である。
【図１３】球皿枠（前枠）の開閉時における、押圧部が当接部に当接した状態を示す上から見た断面図である。
【発明を実施するための形態】
【００１７】
以下、本発明の実施形態について図面を参照しつつ説明する。
【実施例】
【００１８】
図１及び図２に示すように、遊技機（以下、パチンコ機ともいう）１は、そのパチンコ機１の外郭を形成する額縁状の外枠２を備え、その外枠２の一側でヒンジ２ａ，２ａを介して軸支され、その前面側に向かって片開き可能に内枠３が支持されている。内枠３には、ガイドレール８により遊技領域５ａが形成された遊技盤５が装着され、その下方に球発射装置（図示せず）が設けられている。また、内枠３の一側に遊技盤５の正面を覆うガラスなどの透明板を備えた前枠４としてガラス枠６がヒンジ２ｂ，２ｂを介して開閉自在に設けられている。そして、その下方には前枠４として球皿枠７がヒンジ２ｃ，２ｃを介して開閉自在に軸支されている。球皿枠７の前面には、遊技球を貯留し、その貯留した遊技球を整流して球発射装置に供給する球受皿９が設けられている。また、この球受皿９の右下側に遊技球の発射力を調節する球発射ハンドル１０が設けられている。
【００１９】
なお、本明細書において、パチンコ機１における上下方向とは遊技盤５の盤面に沿う態様で遊技領域５ａを遊技球が流下する方向（鉛直方向）を意味する。また、左右方向とは遊技盤５の盤面に沿う態様で上下方向に直交する方向（水平方向）を意味する。また、前後方向とは遊技盤５の盤面に直交する方向（水平方向）を意味し、遊技盤５の遊技者側が前側であり、遊技盤５の奥側（遊技領域５ａの反対側）が後側である。
【００２０】
内枠３は、図２に示すように、アルミなどの金属や合成樹脂により縦長方形状で、中央に窓部１１が開設された枠状に形成されている。窓部１１の背面上方には、遊技機島の補給経路（図示せず）から補給される遊技球を貯留する補給タンク１２が設けられている。また、補給タンク１２の下流側に遊技球を整列して流下させる直線及び前後方向に屈曲形成（湾曲形成）される球誘導路１３が設けられている。また、その球誘導路１３の下流側には所定個数の遊技球を計数して払い出す球払出装置１４が設けられている。そして、その球払出装置１４の下流側には、該球払出装置１４から払出された遊技球を払出口９ａから球受皿９（図１参照）へと誘導する球払出通路１５が設けられている。
【００２１】
以下、球払出通路１５について詳しく説明する。球払出通路１５は、図３ないし図９に示すように、内枠３側に設けられる上流側通路２０と、球皿枠７（前枠４）側に設けられる下流側通路３０とを含み構成されている。上流側通路２０は、終端部分が内枠３の前面３ａで突設されて出口部２１を下方に開口している。下流側通路３０は、球皿枠７の後面７ａで突設されて入口部３１を上方に開口している。そして、球払出通路１５は、球皿枠７（前枠４）の閉塞時に下流側通路３０の入口部３１が上流側通路２０の出口部２１に隣接して配置されて通路が連続し、球皿枠７（前枠４）の開放時には下流側通路３０の入口部３１が上流側通路２０の出口部２１から離間して通路が分断される。
【００２２】
また、内枠３には、上流側通路２０の出口部２１に対応して、球皿枠７の開放時における遊技球の零れを防止するシャッター機構４０が設けられている。ここで、シャッター機構４０は、球皿枠７の開放時には、球払出通路１５における遊技球の流下を堰き止める規制状態を形成し（図３ないし図５参照）、球皿枠７の閉塞時には、球払出装置１４から払い出された遊技球の球払出通路１５における流下を許容する許容状態を形成する（図６ないし図８参照）。
【００２３】
上流側通路２０は、上述のように出口部２１が下方に向かって開口するように、終端部分において下方に垂れ下がる垂下部２２が適宜所定長さで形成されている。垂下部２２は、左右方向においては複数の遊技球が並んで流下又は停留可能に形成されており、前後方向においては遊技球が１個のみ流下又は停留可能に形成されている。従って、出口部２１も同様に、左右方向においては複数の遊技球が並んで流下又は停留可能に形成されており、前後方向においては遊技球が１個のみ流下又は停留可能に形成されている。即ち、出口部２１は、左右方向に延びる長辺及び前後方向に延びる短辺を有する長方形状に形成されている（図１３参照）。
【００２４】
シャッター機構４０は、図９に示すように、上流側通路２０の出口部２１の下方に進入し該出口部２１を閉鎖して遊技球の流下を堰き止める規制位置（図３ないし図５参照）と、該出口部２１の下方から退避し出口部２１を開放して遊技球の流下を許容する退避位置（図６ないし図８参照）との間を変位する規制部材４１を備えている。具体的には、退避位置は、上流側通路２０の出口部２１の後側に位置しており、規制部材４１は、出口部２１に対して後側から前後方向に進退するように配置されている。また、シャッター機構４０は、内枠３に対して規制部材４１を規制位置と退避位置との間で変位可能に固定する軸ピン４２と、規制部材４１を規制位置に向けて付勢する付勢手段としての捻じりバネ４３とを備えている。また、軸ピン４２は、規制部材４１を軸支するとともに、内枠３の前面３ａに形成された軸支部３ｂ，３ｂに軸支され、両端部においてＥリングなどの係止部材４４，４４によって保持（抜け止め）されている。
【００２５】
規制部材４１は、図１０に示すように、軸ピン４２によって、遊技球の流下方向に交差する方向（例えば、左右方向）に延びる回動軸線Ｏ１周りに回動可能に設けられている。規制部材４１は、側面視（回動軸線Ｏ１方向から見て）において、回動軸線Ｏ１を起点としてそれぞれ所定方向に延設される第１延設部４１Ａと第２延設部４１Ｂとを備えている。第１延設部４１Ａは、上流側通路２０の出口部２１で遊技球を堰き止める球止面４１ａを先端に形成し、後述する下流側通路３０の押圧部３２に当接される当接部４１ｂを前面に形成する。そして、球止面４１ａは、規制部材４１が規制位置のときに、出口部２１における遊技球の流下方向に対して略垂直となる面（例えば、水平面：出口部２１の開口面に平行な面）となるように平坦面として形成されている。
【００２６】
これによれば、出口部２１において球止面４１ａによって堰き止められた先頭の遊技球の上下方向の高さ位置が一義的に決められることとなる。そして、規制部材４１が規制位置のとき、球止面４１ａと出口部２１との離間距離Ｈは、遊技球の半径と略同等もしくはそれよりも小さい距離に設定されている。従って、出口部２１から食み出している遊技球の食み出し量は球下半分以下となり、後述する下流側通路３０の遮断部３３が球止面４１ａと出口部２１との間に入り込んだときにスムーズに遊技球を押し上げることができる。なお、球止面４１ａは、規制部材４１が規制位置のときに、僅かに前後どちらかに傾斜するように形成してもよい。また、当接部４１ｂは、湾曲形状で形成されている。
【００２７】
また、規制部材４１は、回動軸線Ｏ１に沿って軸ピン４２が挿通される軸孔４１ｃと、その軸孔４１ｃを含み捻じりバネ４３のコイル部を保持するバネ保持部４１ｄと、捻じりバネ４３の一方の延出アームが係止される係止部４１ｅと、第２延設部４１Ｂによって形成される回動規制部４１ｆとを備えている。ここで、内枠３の前面３ａには、軸支部３ｂ，３ｂ間で前方に起立する規制壁３ｃが形成されており、その規制壁３ｃに捻じりバネ４３の他方の延出アームが係止される。そして、規制部材４１が規制位置のときには、捻じりバネ４３に付勢されるとともに回動規制部４１ｆが規制壁３ｃに当接して回動規制される。
【００２８】
次に、下流側通路３０は、図３及び図１１に示すように、払出口９ａの周縁から後方に延設される底壁及び側壁と、それら底壁及び側壁の先端に隣接される後壁とを有して上方に開口する入口部３１を形成している。入口部３１は、上流側通路２０の出口部２１を含む形で形成され、左右方向においては複数の遊技球が並んで流下又は停留可能に形成されている。なお、払出口９ａの上縁から後方に延設する天井壁を設け、入口部３１を前後方向において１個の遊技球が流下又は停留可能に形成してもよい。
【００２９】
また、下流側通路３０は、球皿枠７の閉塞時に規制部材４１を捻じりバネ４３（付勢手段）の付勢力に抗して退避位置に設定する押圧部３２と、球皿枠７の開閉動作の際に、規制部材４１の規制位置による出口部２１に対する位置関係よりも上流側通路２０の出口部２１に近い位置で該出口部２１を一時的に閉鎖する遮断部３３とを備えている（図１２参照）。
【００３０】
具体的には、押圧部３２は、下流側通路３０の一部として上述した後壁の後面（下流側通路３０の先端面）によって構成されている。押圧部３２（後壁）は、入口部３１（出口部２１）から流下してきた遊技球を前方の払出口９ａに方向転換して誘導するために湾曲形状で形成されており、規制部材４１の当接部４１ｂは、この湾曲形状に略一致するように形成されている。
【００３１】
遮断部３３は、板状形態をなし、下流側通路２０の一部として入口部３１の後方側に隣接して形成されており、入口部３１の開口面（開口縁）を含む同一平面（例えば、水平面）上に沿って後方側に延設される形で形成されている。遮断部３３は、その先端部３３ａが球皿枠７のヒンジ２ｃ側（開閉中心側：左側）からその反対側（開放側：右側）に向かうほど入口部３１から後方に遠ざかる（遮断部３３が後方に漸次長くなる）ように形成されている。また、遮断部３３は、入口部３１に対して球皿枠７のヒンジ２ｃ側（開閉中心側）に突出する食み出し部３３ｂを有して形成されている。従って、遮断部３３は、その食み出し部３３ｂを含み先端部３３ａが球皿枠７のヒンジ２ｃ側（開閉中心側）からその反対側（開放側）に向かうほど入口部３１から後方に遠ざかるように形成されている。
【００３２】
遮断部３３は、図１２に示すように、規制部材４１が規制位置において上流側通路２０の出口部２１で遊技球を堰き止める球止面４１ａの上方で、その球止面４１ａから遊技球の半径の高さ位置よりも低い位置で出口部２１を閉鎖するように配置されている。なお、本実施形態においては、規制部材４１が規制位置のときの球止面４１ａと出口部２１との離間距離Ｈが遊技球の半径と略同等に形成されているので、遮断部３３は、その両者の間に入り込むだけで上記関係を簡単に形成することができる。また、内枠３の前面３ａには、球皿枠７の閉塞時に遮断部３３が差し込まれて収容される収容溝３ｄが形成されている。
【００３３】
以上のような構成を有する本実施形態に係る遊技機１は、球皿枠７が閉塞されるときには、下流側通路３０の押圧部３２が規制部材４１に作用する前に遮断部３３が先行して上流側通路２０の出口部２１を閉鎖し、規制部材４１によって堰き止められている遊技球を該規制部材４１に代わって堰き止めた後、下流側通路３０の入口部３１が出口部２１に隣接配置されるとともに、押圧部３２により規制部材４１が退避位置に変位し、かつ遮断部３３が該出口部３１を開放することで球払出通路１５が連続して遊技球を球受皿９に誘導可能となる。
【００３４】
また、本実施形態に係る遊技機１は、球皿枠７が開放されるときには、下流側通路３０の入口部３１が上流側通路２０の出口部２１から離間するとともに遮断部３３が出口部２１を閉鎖して遊技球を堰き止めた後、規制部材４１が捻じりバネ４３（付勢手段）により規制位置に移行した状態で、遮断部３３が該出口部２１を開放することで遮断部３３によって堰き止められている遊技球を該遮断部３３に代わって規制部材４１が堰き止めて球払出通路１５が分断される。
【００３５】
以下、球皿枠７の開閉動作に伴う球払出通路１５及びシャッター機構４０の動作について具体的に説明する。図６ないし図８に示すように、球皿枠７の閉塞時には、下流側通路３０の押圧部３２が規制部材４１の当接部４１ｂに当接して該規制部材４１の球止面４１ａを捻じりバネ４３の付勢力に抗して上流側通路２０の出口部２１の下方から退避した状態（退避位置）で保持している。すなわち、上流側通路２０の出口部２１の下方に下流側通路３０の入口部３１が配置されて球払出通路１５が連続した状態となっており、球払出装置１４から払い出された遊技球が払出口９ａを介して球受皿９へ払い出し可能となっている。このとき、遮断部３３は内枠３の収容溝３ｄに収容されている。
【００３６】
そして、球皿枠７が閉塞された状態から開放される時には、球皿枠７の開放動作に基づいて下流側通路３０が前方に移動し始め、入口部３１が上流側通路２０の出口部２１の下方から前方に位置ズレ（離間）していくとともに、遮断部３３が出口部２１を後側から閉鎖し始める。そして、その遮断部３３の下側では、下流側通路３０の移動に伴い押圧部３２に当接部４１ｂが追従する形で、規制部材４１の球止面４１ａが捻じりバネ４３の付勢力によって当接部４１ｂが押圧部３２に当接した状態で前方に移動していく。すなわち、規制部材４１が退避位置から規制位置へ向かって回動変位していく。
【００３７】
下流側通路３０の前方への移動が進むと、図１２及び図１３に示すように、規制部材４１の回動規制部４１ｆが内枠３の規制壁３ｃに当接し、規制部材４１の回動変位が規制され停止する。すなわち、規制部材４１が規制位置に変位した状態となる。このとき、上流側通路２０の出口部２１は、食み出し部３３ｂを含み遮断部３３によって閉鎖されて遊技球の流下が規制された状態となっている。なお、図１３の点Ｐは、球皿枠７が開放されるときには、押圧部３２と当接部４１ｂとが切り離され離間する位置を示す点であり、球皿枠７が閉塞されるときには、押圧部３２が当接部４１ｂに当接し始める位置を示す点である。
【００３８】
そして、下流側通路３０の前方への移動がさらに進むと、図３ないし図５に示すように、遮断部３３による出口部２１の閉鎖が開放されていく。このとき、遮断部３３の下側には、すでに規制位置に変位した規制部材４１の球止面４１ａが待機しており、遮断部３３によって堰き止められていた遊技球が、遮断部３３に代わって規制部材４１によって堰き止められることとなる。そして、球皿枠７の開放時には、捻じりバネ４３の付勢力により規制部材４１の球止面４１ａが上流側通路２０の出口部２１の下方に進入した状態（規制位置）で保持されている。
【００３９】
従って、下流側通路３０が上流側通路２０から完全に離間し球払出通路１５が分断された状態となり、球受皿９が遊技球で満杯で球払出通路１５まで遊技球で満たされていたり、入賞により賞球の払出し動作が行われていたりしたときでも球払出通路１５を流下、或いは停留している遊技球が床などに零れ落ちることなく、良好に球皿枠７を開放することができる。
【００４０】
また、球皿枠７が開放された状態から閉塞される時には、球皿枠７の閉塞動作に基づいて下流側通路３０が後方に移動し始め、遮断部３３が出口部２１を前側から閉鎖し始める。上流側通路２０の出口部２１において、規制部材４１の球止面４１ａによって遊技球が堰き止められている場合には、遮断部３３は、その先頭の遊技球（球止面４１ａと接触している遊技球）の球下半分の高さ位置に先端部３３ａを押し込み、該遊技球を垂下部２２に沿って持ち上げる（蹴上げる）ようにして、規制部材４１の球止面４１ａの上側に滑り込み、球止面４１ａに代わって遊技球を堰き止めて出口部２１を閉鎖する。すなわち、遮断部３３は、球止面４１ａに堰き止められている遊技球が乗り上がってくるように、出口部２１の下方に押し込まれる。
【００４１】
下流側通路３０の後方への移動が進むと、図１２及び図１３に示すように、下流側通路３０の押圧部３２が規制部材４１の当接部４１ｂに点Ｐ位置で当接し、さらに下流側通路３０の後方への移動が進むと、捻じりバネ４３の付勢力に抗して下流側通路３０の押圧部３２が規制部材４１の当接部４１ｂを押圧しながら該規制部材４１の球止面４１ａを上流側通路２０の出口部２１の下方から退避した状態（退避位置）へと変位させる。このとき、出口部２１に対して遮断部３３が後方へ退避していくとともに、入口部３１が下方に配置されていく。そして、図６ないし図８に示すように、球皿枠７が閉塞され、球払出通路１５が連続した状態となる。従って、遊技球が床などに零れ落ちることなく、良好に球皿枠７を閉塞することができる。
【００４２】
なお、本実施形態において、遮断部３３は、上流側通路２０の出口部２１に対して略完全に閉鎖することができる大きさで例示したが（図１３参照）、遮断部３３に対して出口部２１の開口面積が広い場合には、遮断部３３によって完全に出口部２１を閉鎖せず、部分的に閉鎖しながら、規制部材４１が規制位置及び退避位置に移動するようにしてもよい。すなわち、遮断部３３が規制部材４１の球止面４１ａ上（出口部２１に近い位置）にオーバーラップした状態で規制部材４１が規制位置及び退避位置に移動する構成としてもよい。これによれば、規制部材４１と押圧部３２（入口部３１）との間に隙間が生ずることがなくなり、球零れを効果的に防止することができる。また、遮断部３３の後方への延出量を小さくすることができ、コンパクト化を図ることができる。なお、上流側通路２０は、前後方向において複数の遊技球が並んで流下できるような出口部２１で形成してもよい。
【００４３】
具体的に説明すると、上流側通路２０の出口部２１において、例えば前後方向に２個の遊技球が並んで流下できる場合に、球皿枠７が閉塞されるとき、遮断部３３が前側に位置する遊技球を堰き止めた段階で押圧部３２が規制部材４１の当接部４１ｂに当接するようにすることができる。そして、さらに球皿枠７の閉塞が進むと、遮断部３３によって堰き止められていた前側に位置する遊技球は入口部３１に誘導されるとともに、後側に位置する遊技球が遮断部３３によって堰き止められ、規制部材４１は押圧部３２によって退避位置に移行していく。その後、遮断部３３によって堰き止められていた後側に位置する遊技球は入口部３１に誘導されるとともに、規制部材４１は押圧部３２によって退避位置に移行する。球皿枠７が開放されるときには、まず先行して、遮断部３３が後側に位置する遊技球を堰き止め、さらに前側に位置する遊技球を堰き止める段階で規制部材４１が後側に位置する遊技球を堰き止めつつ、前側に位置する遊技球を堰き止めるために遮断部３３の下側で待機した規制位置に移行する構成とすることができる。
【００４４】
また、本実施形態において、規制部材４１は、軸ピン４２に軸支されて規制位置と退避位置との間を回動変位する態様で例示したが、規制部材（球止面）を前後方向で直線的にスライド往復移動させるように形成してもよいし、回動軸線方向が上下方向となるように規制部材を回動変位する態様で形成してもよい。これによれば、シャッター機構の高さ方向のコンパクト化を図ることができる。
【００４５】
また、遮断部が出口部の下方を通過後に当接される当接部を規制部材に形成し、下流側通路の遮断部を押圧部として兼用することができる。これによれば、遮断部が押圧部を兼用するので、部品点数の低減及びコンパクト化だけでなく、規制部材や下流側通路の構造設計の自由度を広げることができる。なお、遮断部に押圧部を兼用させる場合には、上記のように規制部材が前後方向にスライド往復移動する構成や、回動軸線方向が上下方向となるように回動変位する構成とすると、当接部の高さ位置が変位しないので、簡単な構成で遮断部を押圧部として機能させることができる。
【００４６】
本発明では遊技機の一例としてパチンコ機について説明したが、他に例えばアレンジボール遊技機、雀球遊技機等の球払出装置が設けられる遊技機に適用することができる。
【符号の説明】
【００４７】
１  パチンコ機（遊技機）
２  外枠
３  内枠
４  前枠
５  遊技盤
６  ガラス枠
７  球皿枠
８  ガイドレール
９  球受皿
９ａ  払出口
１０  球発射ハンドル
１４  球払出装置
１５  球払出通路
２０  上流側通路
２１  出口部
３０  下流側通路
３１  入口部
３２  押圧部
３３  遮断部
４０  シャッター機構
４１  規制部材
４１ａ  球止面
４１ｂ  当接部
４２  軸ピン
４３  捻じりバネ（付勢手段）
【図１】
2011156250.tif 000003
【図２】
2011156250.tif 000004
【図３】
2011156250.tif 000005
【図４】
2011156250.tif 000006
【図５】
2011156250.tif 000007
【図６】
2011156250.tif 000008
【図７】
2011156250.tif 000009
【図８】
2011156250.tif 000010
【図９】
2011156250.tif 000011
【図１０】
2011156250.tif 000012
【図１１】
2011156250.tif 000013
【図１２】
2011156250.tif 000014
【図１３】
2011156250.tif 000015